(57)【特許請求の範囲】
【請求項１】
光ディスクが装填される折り畳み可能なケースに表題紙を挿入するための表題紙挿入装置であって、
前記ケースが、ケース本体とその表面側に装着された可撓性の透明カバーとを有しており、
前記表題紙挿入装置が、
展開状態にされた前記ケースの前記ケース本体を上向きにした状態から、前記ケース本体を偏平な逆Ｖ字状に屈曲させることにより、前記透明カバーをその自重によって略Ｖ字状に撓ませ、これにより前記ケース本体と前記透明カバーとの間に表題紙挿入のための挿入空間を形成させる空間形成機構と、
表題紙の着脱のための吸引または圧搾空気噴出用の複数の孔が形成された波形状の合わせ面を有し、前記空間形成機構により形成された挿入空間内に挿入可能な上型と、
前記上型に対向配置されるとともに、前記合わせ面の波形状に対応する波形状が形成された合わせ面を有し、前記上型に当接し得るように前記上型に対して接近・離反可能な下型と、
を備えた表題紙挿入装置。
【請求項２】
請求項１に記載の表題紙挿入装置において、
前記空間形成機構が、前記ケース本体を保持し得る昇降可能な吸着パッドを有している、
ことを特徴とする表題紙挿入装置。
【請求項３】
請求項２に記載の表題紙挿入装置において、
前記空間形成機構が、略Ｖ字状に変形した前記透明カバーに係止する係止部を有している、
ことを特徴とする表題紙挿入装置。
【発明の詳細な説明】
【０００１】
【発明の属する技術分野】
本発明は、ＣＤやＤＶＤ等の情報記録円盤（以下、光ディスクと記す）が装填されるプラスチック製のケースに、情報内容を表現したタイトルページ（以下、表題紙と記す）を挿入するための表題紙挿入装置に関する。
【０００２】
【従来の技術】
光ディスクが装填されるケースの中には、ケース本体と、ケース本体の表面側にその両端が接着された透明カバーとを有し、表題紙をケース本体の表面と透明カバーとの間に挿入するようにしたものが知られている。
【０００３】
しかしながら、表題紙の横幅は透明カバーの横幅と略等しく、このため、表題紙を透明カバー内に単に挿入しようとしても、表題紙の両端が透明カバーの両端部分と干渉して、表題紙を透明カバー内にスムーズに挿入できない。
【０００４】
そこで、特許第２８５７８０８号公報に示すような表示シート（表題紙）挿入装置が提案されている。
同号公報の請求項３に示すように、この表示シート挿入装置は、ケース本体を開閉可能に保持する開閉装置と、これに対向配置された表示シート投入装置とを備えている。開閉装置は、ケース本体を半開き状態に支持する支持杆と、支持杆に支持されたケース本体を偏平なＶ字状に反転開放する反転装置と、ケース本体に装着された透明シートを吸着保持して持ち上げる吸着装置とを有している。表示シート投入装置は、表示シートを波状に屈曲させる屈曲装置と、屈曲装置により波状に変形した表示シートを開閉装置側に投入する移送装置とを有している。
【０００５】
この場合には、支持杆によってケース本体が半開き状態に支持された状態から、反転装置により、ケース本体が偏平なＶ字状に反転開放されるとともに、吸着装置により、ケース本体の透明シートが吸着保持され上方に持ち上げられる。これにより、ケース本体と透明シートとの間に、表示シート挿入のための挿入空間が形成される。
【０００６】
この状態から、屈曲装置により波状に変形した表示シートが、移送装置によりケース本体と透明シートとの間の挿入空間に投入される。表示シートの投入後、移送装置が挿入空間から後退する。
【０００７】
このような表示シート挿入装置においては、挿入空間への表示シートの挿入の際に、表示シートを波状に変形させることにより表示シートの横幅を小さくするようにしているので、挿入時に表示シートがケースの挿入空間と干渉することなく、表示シートの挿入が円滑に行えるようになる。
【０００８】
【発明が解決しようとする課題】
しかしながら、前記従来の構成では、表示シートのための挿入空間をケースに形成する際に、透明シートを吸着保持して上方に持ち上げる吸着装置が必要になり、その分、装置全体の構造が複雑になる。
【０００９】
また、前記従来の構成では、表示シートを波状に屈曲させる際に、昇降板に固定された押上杆を用いており、挿入空間への挿入完了直前に、表示シートが押上杆から外れるとともにそれ自身の弾性で展開状態に戻るようになっている（上記公報第６頁第９欄第２８〜３４行参照）。
【００１０】
したがって、表示シートが弾性に乏しい薄い素材から構成される場合、挿入空間への挿入完了時に表示シートが完全な展開状態には戻らず、挿入空間内で表示シートが波状に変形したままの状態におかれる。このような場合、ケース本体の透明シートを下方位置に戻したときに、表示シートがケース本体および透明シート間で皺の付いた状態で挟まれることになる。これでは、表示シートの挿入が正確に行われたことにはならない。
【００１１】
本発明は、このような従来の実情に鑑みてなされたもので、光ディスクが装填されるケースに表題紙（表示シート）を円滑かつ正確に挿入することができ、しかも構造を簡略化できる表題紙挿入装置を提供することを目的とする。
【００１２】
【課題を解決するための手段】
請求項１の発明に係る表題紙挿入装置は、光ディスクが装填される折り畳み可能なケースに表題紙を挿入するための表題紙挿入装置であって、前記ケースが、ケース本体とその表面側に装着された可撓性の透明カバーとを有している。前記表題紙挿入装置は、展開状態にされた前記ケースの前記ケース本体を上向きにした状態から、前記ケース本体を偏平な逆Ｖ字状に屈曲させることにより、前記透明カバーをその自重によって略Ｖ字状に撓ませ、これにより前記ケース本体と前記透明カバーとの間に表題紙挿入のための挿入空間を形成させる空間形成機構と、表題紙の着脱のための吸引または圧搾空気噴出用の複数の孔が形成された波形状の合わせ面を有し、前記空間形成機構により形成された挿入空間内に挿入可能な上型と、前記上型に対向配置されるとともに、前記合わせ面の波形状に対応する波形状が形成された合わせ面を有し、前記上型に当接し得るように前記上型に対して接近・離反可能な下型とを備えている。
【００１３】
請求項２の発明に係る表題紙挿入装置は、請求項１において、前記空間形成機構が、前記ケース本体を保持し得る昇降可能な吸着パッドを有していることを特徴としている。
【００１４】
請求項３の発明に係る表題紙挿入装置は、請求項２において、前記空間形成機構が、略Ｖ字状に変形した前記透明カバーに係止する係止部を有していることを特徴としている。
【００１５】
請求項１の発明において、表題紙をケースに挿入する際には、まず、展開状態にされたケースのケース本体を上向きにした状態から、空間形成機構により、ケース本体を偏平な逆Ｖ字状に屈曲させる。すると、ケース本体の表面側に装着された可撓性の透明カバーがその自重によって略Ｖ字状に撓む。これにより、ケース本体と透明カバーとの間に、表題紙挿入のための略菱形状の挿入空間が形成される。
【００１６】
その一方、対向配置された上型および下型間に表題紙を配置するとともに、この状態から、下型を上型に接近させて下型を上型に当接させることにより、上型および下型の各合わせ面同士で表題紙を挟持する。
【００１７】
このとき、上型および下型の各合わせ面は互いに密着しており、表題紙は、上型および下型の各合わせ面の波形状に沿った形状となっている。また、上型の合わせ面に形成された複数の孔から空気が吸引されていることにより、表題紙は上型の合わせ面に吸着保持されている。
【００１８】
次に、下型を上型から離反させる。このとき、上型の合わせ面の孔から空気が吸引されていることにより、表題紙は上型の合わせ面に吸着保持されたままである。
【００１９】
この状態から、空間形成機構により形成された、ケース本体と透明カバーとの間の挿入空間内に上型を進入させる。このとき、上述のように、上型の合わせ面に吸着保持された表題紙は、上型の合わせ面に沿った波形状になっており、このため、表題紙の横幅はケース本体および透明カバーの横幅よりも小さくなっている。これにより、表題紙のケースへの挿入が円滑に行われる。
【００２０】
上型の進入後、上型の合わせ面に形成された複数の孔から圧搾空気を噴出させる。この圧搾空気の圧力により、上型の合わせ面に吸着保持されていた表題紙が合わせ面から分離する。表題紙の分離後、上型を透明カバー内から退出させる。このようにして、ケース内に表題紙が挿入されることになる。
【００２１】
この場合には、ケースに表題紙挿入用の空間を形成する際に、ケース本体を上向きにした状態から偏平な逆Ｖ字状に屈曲させるようにしたので、透明カバーがその自重によって容易に略Ｖ字状に撓み、これにより、ケース本体と透明カバーとの間に表題紙挿入用の略菱形状の挿入空間が容易に形成されることになる。したがって、挿入空間を形成するための透明カバー保持機構が不要になり、これにより、装置全体の構造を簡略化できる。
【００２２】
また、表題紙をケース本体と透明カバーとの間の挿入空間内に配置する際に、上型の合わせ面から圧搾空気を噴出させるようにしたので、表題紙が薄くて弾力のない素材から構成されている場合でも、表題紙を容易に展開状態にすることができ、これにより、表題紙のケースへの挿入が正確に行えるようになる。
【００２３】
請求項２の発明では、空間形成機構が、ケース本体を保持し得る昇降可能な吸着パッドを有している。この場合には、展開状態にされたケース本体を吸着パッドが保持した状態から、吸着パッドを下方に移動させることにより、ケース本体が偏平な逆Ｖ字状に屈曲することになる。
【００２４】
請求項３の発明では、空間形成機構が、略Ｖ字状に変形した透明カバーに係止する係止部を有している。この場合には、略Ｖ字状に変形した透明カバーに係止部が係止することにより、透明カバーの変形状態が確実に維持されることになる。
【００２５】
【発明の実施の形態】
以下、本発明の実施態様を添付図面に基づいて説明する。
図１ないし図９は本発明の一実施態様による表題紙挿入装置を説明するための図であって、図１は表題紙挿入装置の正面図、図２はその側面図、図３はその平面図（図１のIII 矢視図）、図４ないし図７は表題紙挿入装置の作動を説明するための図であって、図４および図５は表題紙が波状に変形させられる様子を示す図、図６は波状に変形した表題紙がケースの挿入空間内に挿入される様子を示す図、図７はケースを偏平な逆Ｖ字状に屈曲させることにより表題紙挿入用の挿入空間が形成される様子を示す図、図８はケースの平面図、図９はその側面図である。
【００２６】
図１に示すように、表題紙挿入装置１は、上下方向に対向配置された上型２および下型３を有している。上型２および下型３は、これらの間に配置される表題紙Ｔを波状に変形させるためのものであって、上方に配置された上型２の下面には波形状の合わせ面２ａが形成され、下方に配置された下型３の上面には、上型２の合わせ面２ａに対応する合わせ面３ａが形成されている。上型２の合わせ面２ａには、表題紙Ｔの着脱のための吸引用または圧搾空気噴出用の複数の孔２０が形成されている。これらの孔２０は、図示しない真空ポンプまたは圧搾空気源に切換え接続されている。
【００２７】
上型２の上部には、スライド部材５が連結され、スライド部材５にはリニアガイド６が連結されている。リニアガイド６は、その上方に配設されたレール７にスライド自在に支承されている。
【００２８】
図２に示すように、スライド部材５の端部には、係合部材８が固定されており、係合部材８には上下方向に延びる長孔８ａが形成されている。一方、スライド部材５の下方には、図示しない駆動源からの駆動力により軸１０の回りを回動可能なレバー１１が配置されており、軸１０にはアーム１２の一端が連結されている。アーム１２の先端にはカムフォロア９が設けられており、カムフォロア９は係合部材８の長孔８ａ内に係合している。
【００２９】
この構成により、レバー１１が回動してアーム１２が軸１０の回りを回動すると、カムフォロア９および長孔８ａを介して、スライド部材５とともに上型２がレール７の配設方向にスライド移動するようになっている。
【００３０】
下型３の下方には、図示しない駆動源からの駆動力により昇降可能なコネクティングロッド３１が設けられている。コネクティングロッド３１のロッドエンド３１ａには、上下方向に延びる軸３２の下端が連結されている。軸３２は、軸受３３により上下方向スライド自在に支持されている。
【００３１】
軸３２の上端には、プレート３４が固定されている。プレート３４には、上下方向に延びる軸３５が挿通しており、軸３５は、軸受３６を介してプレート３４に上下方向スライド自在に支持されている。軸３５の上端は、下型３の下面に固定されている。また、下型３と軸受３６との間にはスプリング３７が装着されている。
【００３２】
この構成により、コネクティングロッド３１が上昇すると、軸３２および３５を介して下型３が上昇し、下型３が上型２に当接するとともに、この当接時にはスプリング３７の作用によって、下型３の合わせ面３ａが上型２の合わせ面２ａと弾性的に接触するようになっている。
【００３３】
上型２の前方（図２左方）には、図３に示すように、表題紙Ｔが挿入されるケース５０が展開状態で配置されている。このケース５０は、図８および図９に示すように、二つ折り可能な箱状ケースであって、光ディスクが装填されるケース本体５１と、その表面側に装着された可撓性の透明カバー５４とを有している。ケース５０は、ケース本体５１を上向きにした状態で、上型２の前方に配置されている。
【００３４】
ケース本体５１の一方の面５１ａには、円弧状に延びる複数の凸条縁部５５が形成されており、これらの凸条縁部５５の内周面により、光ディスク装填用の穴が形成されている。またケース本体５１の他方の面５１ｂには、説明書等を挿入し係止するための係止爪５３が設けられている。透明カバー５４の両端部５４ａ，５４ｂは、ケース本体５１の表面端部に固着されている。
【００３５】
展開状態で配置されたケース５０の上方には、表題紙挿入用の挿入空間をケース５０に形成するための空間形成機構としての２個一組の吸着パッド６０ａ，６０ｂが昇降可能に設けられている。一方の吸着パッド６０ａは、ケース本体５１の一方の面５１ａを吸着保持するためのものであり、他方の吸着パッド６０ｂは、ケース本体５１の他方の面５１ｂを吸着保持するためのものである。
【００３６】
ケース本体５１の各面５１ａ，５１ｂを吸着保持した状態から、各吸着パッド６０ａ，６０ｂが下方に移動すると、図７に示すように、ケース本体５１が偏平な逆Ｖ字状に屈曲し、その結果、ケース本体５１下方の透明カバー５４がその自重によって下方に略Ｖ字状に撓む。これにより、ケース本体５１と透明カバー５４との間に、表題紙挿入用の挿入空間Ａが形成されることになる。
【００３７】
なお、下型３の前方（図２左方）には、挿入空間Ａが形成されたケース５１の透明カバー５４に係止する係止板４１が配置されている。図３に示すように、係止板４２は、回転自在な軸４２に固定されている。軸４２の一端にはレバー４３，４４が設けられており、レバー４３は軸４２に固定され、レバー４４は軸４２に回転自在に支持されている。レバー４３，４４はねじ４５により連結されている。また、図示しない駆動源からの駆動力により昇降可能なコネクティングロッド４６が設けられており、コネクティングロッド４６の先端は、レバー４４の一端に連結されている。
【００３８】
この構成により、コネティングロッド４６が昇降すると、レバー４３，４４を介して軸４２が回動し、その結果、係止板４１が回動してその先端部がケース５０の挿入空間Ａ内に挿入され、透明カバー５１に上方から係止するようになっている（図６参照）。この係止板４１は、ケース５０に形成された挿入空間Ａを補助的に維持するために設けられており、省略することも可能である。
【００３９】
次に、表題紙挿入装置１による表題紙Ｔの挿入動作について説明する。
表題紙Ｔをケース５０に挿入する際には、まず、上型２および下型３間に表題紙Ｔを配置し（図１実線位置参照）、この状態から、コネクティングロッド３１を上昇させることにより、軸３２，３５を介して下型３を上型２に接近させ、上型２および下型３間で表題紙Ｔを挟持する（図１一点鎖線位置および図４参照）。
【００４０】
このとき、上型２および下型３の波形状の各合わせ面２ａ，３ａは互いに密着しており、表題紙Ｔは、上型２および下型３の各合わせ面２ａ，３ａの波形状に沿った形状になっている。また、上型２の合わせ面２ａに形成された複数の孔２０から空気が吸引されており、表題紙Ｔは上型２の合わせ面２ａに吸着保持されている。
【００４１】
次に、コネクティングロッド３１を下降させることにより、下型３を上型２から離反させる。このとき、上型２の合わせ面２ａの各孔２０から空気が吸引されていることにより、下型３の離反後においても表題紙Ｔは上型２の合わせ面２ａに吸着保持されたままである（図５参照）。なお、図１，図４および図５では、図示の便宜上、表題紙Ｔの厚みを誇張して描いている。
【００４２】
その一方、上型２の前方において、ケース本体５１を上に向けて展開状態で配置されたケース５０に対して、上方に配置されていた各吸着パッド６０ａ，６０ｂが下方に移動し、ケース本体５１の各面５１ａ，５１ｂを吸着保持する。この状態から各吸着パッド６０ａ，６０ｂがさらに下方に移動すると、ケース本体５１が偏平な逆Ｖ字状に屈曲し（図７参照）、その結果、ケース本体５１の下方に配置された透明カバー５４がその自重により偏平な略Ｖ字状に撓む。これにより、ケース本体５１と透明カバー５４との間に、表題紙挿入用の略菱形状の挿入空間Ａが形成される。次に、係止板４１を下方に回動させて挿入空間Ａ内に挿入させ、係止板４１の先端部を透明カバー５４に上方から係止させる。
【００４３】
この状態から、レバー１１の駆動により、アーム１２を軸１０の回りに回動させ、スライド部材５および上型２をケース５０側に移動させる。このとき、上述のように、上型２の合わせ面２ａに吸着保持された表題紙Ｔは、上型２の合わせ面２ａに沿った波形状になっており、表題紙Ｔの横幅は挿入空間Ａの横幅よりも小さくなっている。したがって、表題紙Ｔは、上型２とともに、ケース本体５１と透明カバー５４との間の挿入空間Ａ内に円滑に挿入されることになる（図６参照）。
【００４４】
上型２の挿入空間Ａへの挿入後、上型２の合わせ面２ａに形成された複数の孔２０から圧搾空気を噴出させる。この圧搾空気の圧力により、上型２の合わせ面２ａに吸着保持されていた表題紙Ｔが上型２の合わせ面２ａから分離する。このように、圧搾空気の圧力によって表題紙Ｔを上型２の合わせ面２ａから分離するようにしたことにより、表題紙Ｔが弾性の乏しい薄い部材の場合であっても、分離後に表題紙Ｔを容易に完全な展開状態にすることができ、これにより、表題紙Ｔの挿入空間Ａへの挿入を正確に行えるようになる。
【００４５】
表題紙Ｔの分離後、レバー１１の駆動により、アーム１２を前記回動方向とは逆方向に回動させ、上型２をケース５０から離反させる。また上型２の挿入空間Ａからの退出後、係止板４２を上方に回動させる。次に、吸着パッド６０を上方に移動させて、ケース本体５１を偏平な逆Ｖ字状態から水平状態に戻す（図９参照）。このとき、表題紙Ｔはケース本体５１と透明カバー５４との間で挟持されることになるが、上述のような圧搾空気の作用により、表題紙Ｔは完全な展開状態におかれているので、ケース５０に装着された表題紙Ｔに皺が発生することはない。
このようにして、表題紙Ｔのケース５０への挿入動作が完了する。
【００４６】
このように本実施態様によれば、表題紙Ｔを波形状にして幅寸法を小さくした状態で、ケース５０の挿入空間Ａ内に挿入するようにしたので、表題紙Ｔが透明カバー５４と干渉することなく、表題紙Ｔの挿入を円滑に行えるようになる。
【００４７】
また、ケース５０に挿入空間Ａを形成する際に、ケース本体５１を上向きにした状態から偏平な逆Ｖ字状に屈曲させるようにしたので、透明カバー５４がその自重によって容易に略Ｖ字状に撓み、これにより、ケース本体５１と透明カバー５４との間に表題紙挿入用の挿入空間Ａが容易に形成される。これにより、挿入空間を形成するための透明カバー保持機構が不要になり、これにより、装置全体の構造を簡略化できる。
【００４８】
さらに、表題紙Ｔをケース本体５１と透明カバー５４との間の挿入空間Ａ内に配置する際に、上型２の合わせ面２ａから圧搾空気を噴出させるようにしたので、表題紙Ｔが薄くて弾力のない素材から構成されている場合でも、表題紙Ｔを容易に展開状態にすることができ、これにより、表題紙Ｔのケース５０への挿入が正確に行えるようになる。
【００４９】
【発明の効果】
以上のように本発明に係る表題紙挿入装置では、表題紙を波形状にしてケースに挿入するようにしたので、表題紙が透明カバーと干渉することなく表題紙の挿入を円滑に行えるようになるとともに、ケース本体を偏平な逆Ｖ字状に屈曲させることにより、透明カバーをその自重によって略Ｖ字状に撓ませて挿入空間を形成するようにしたので、装置全体の構造を簡略化できる効果がある。さらに、圧搾空気の噴出により表題紙を上型から分離するようにしたので、表題紙のケースへの挿入が正確に行えるようになる効果がある。
【図面の簡単な説明】
【図１】本発明の一実施態様による表題紙挿入装置の正面図。
【図２】表題紙挿入装置の側面図。
【図３】表題紙挿入装置の平面図（図２のIII 矢視図）。
【図４】表題紙挿入装置の作動を説明するための図であって、表題紙が波状に変形させられる様子を示す図。
【図５】表題紙挿入装置の作動を説明するための図であって、表題紙が波状に変形させられる様子を示す図。
【図６】表題紙挿入装置の作動を説明するための図であって、波状に変形した表題紙がケースの挿入空間内に挿入される様子を示す図。
【図７】表題紙挿入装置の作動を説明するための図であって、ケースを偏平な逆Ｖ字状に屈曲させることにより表題紙挿入用の挿入空間が形成される様子を示す図。
【図８】ケースの平面図。
【図９】ケースの側面図。
【符号の説明】
１      表題紙挿入装置
２      上型
２ａ    合わせ面
２０    孔
３      下型
３ａ    合わせ面
４１    係止板（係止部）
５０    ケース
５１    ケース本体
５４    透明カバー
６０ａ，６０ｂ  吸着パッド（空間形成機構）
Ｔ      表題紙
Ａ      挿入空間
【図１】
0004294171.tif 000002
【図２】
0004294171.tif 000003
【図３】
0004294171.tif 000004
【図４】
0004294171.tif 000005
【図５】
0004294171.tif 000006
【図６】
0004294171.tif 000007
【図７】
0004294171.tif 000008
【図８】
0004294171.tif 000009
【図９】
0004294171.tif 000010